(57)【特許請求の範囲】
【請求項１】
筆記用具であって、
前方端を有するバレルと、
バレル内に部分的に配置されバレルの前方端の外側に伸延する先端部を有する筆記部材と、
バレルに取り付けられ外側表面を画定する弾性のグリップ部分と、
グリップ部分の外側表面に沿って長手方向に整列された溝の縦列にして、各溝が、より先端部付近に位置付けられた前縁部と、先端部から離れて位置付けられた後縁部とを画定する溝の縦列と、
を含み、
各溝の後縁部が、関連する溝の前縁部の深さよりも深い筆記用具。
【請求項２】
隣り合う溝が各溝の間部分にリブを画定する請求項１の筆記用具。
【請求項３】
バレルが軸線を画定し、各リブが、より先端部付近に位置付けられた前縁部と、先端部から離して位置付けられた後縁部とを有し、前縁部が軸線に関し後縁部よりもずっと急勾配で傾斜する請求項２の筆記用具。
【請求項４】
各溝が湾曲形状を有する請求項１の筆記用具。
【請求項５】
各溝が、より先端部付近に位置付けられた中央部分と、先端部から離して位置付けられた２つの端部とを有する請求項４の筆記用具。
【請求項６】
グリップ部分の外側表面がソフトラバーを含んでいる請求項１の筆記用具。
【請求項７】
グリップ部分の外側表面が、丸味付け部分、拡開部分、前記丸味付け部分及び拡開部分の中間のネック部分の如き輪郭を持つように形成される請求項１の筆記用具。
【請求項８】
筆記用具であって、
前方端を有し軸線を画定するバレルと、
バレル内に部分的に配置されバレルの前方端から外側に伸延する先端部を有する筆記部材と、
バレルに取り付けられ、バレルの外側表面を画定する弾性のグリップ部分と、
グリップ部分の外側表面に形成された溝の縦列にして、各溝が長手方向に整列して各溝間にリブを形成し、該リブが、より先端部付近に位置付けられた前縁部と、先端部から離して位置付けられた後縁部とを有し、各前縁部が軸線に関して、関連する溝の後縁部よりもずっと急勾配で傾斜されている溝の縦列と、
を含み、
各リブがユーザーの指が先端部から滑って離れるのに抵抗するようにした筆記用具。
【請求項９】
各溝が湾曲形状を有する請求項８の筆記用具。
【請求項１０】
各溝が、より先端部付近に位置付けられた中央部分と、先端部から離して位置付けられた２つの端部とを有する請求項９の筆記用具。
【請求項１１】
各リブが、より先端部付近に位置付けられた前縁部と、先端部から離して位置付けられた後縁部とを有する請求項８の筆記用具。
【請求項１２】
各溝が変化する深さを有する請求項１１の筆記用具。
【請求項１３】
各溝の深さが前縁部から後縁部にかけて増大する請求項１２の筆記用具。
【請求項１４】
リブが、より先端部付近に位置付けられた前縁部と、先端部から離して位置付けられた後縁部とを有する請求項８の筆記用具。
【請求項１５】
前縁部が後縁部よりも急勾配である請求項１４の筆記用具。
【請求項１６】
筆記用具であって、
前縁部を有するバレルと、
バレル内に部分的に配置されバレルの前方端から外側に伸延する先端部を有する筆記部材と、
バレルに取り付けられ、バレルの外側表面を画定する弾性のグリップ部分と、
グリップ部分の外側表面に長手方向に整列して形成された湾曲状の溝の縦列にして、各溝が、より先端部付近に位置付けられた中央部分と、先端部から離して位置付けられた２つの端部とを有する湾曲状の溝の縦列とを含み、
各溝が変化する深さを有する筆記用具。
【請求項１７】
隣り合う溝がその間部分にリブを画定する請求項１６の筆記用具。
【請求項１８】
バレルが軸線を画定し、各溝の前縁部が後縁部よりも軸線に関してずっと急勾配で傾斜される請求項１７の筆記用具。
【請求項１９】
各溝が、より先端部付近に位置付けられた前縁部と、先端部から離して位置付けられた後縁部とを有し、各溝の後縁部の深さが、関連する溝の前縁部の深さよりもずっと深い請求項１６の筆記用具。
【請求項２０】
グリップ部分の外側表面がソフトラバーを含んでいる請求項１６の筆記用具。
【請求項２１】
グリップ部分の外側表面が、丸味付け部分、拡開部分、前記丸味付け部分及び拡開部分の中間のネック部分の如き輪郭をもつように形成される請求項１６の筆記用具。
【発明の詳細な説明】
【０００１】
【発明の属する技術分野】
本発明は一般に筆記用具に関し、詳しくは指グリップを組み込んだ筆記用具に関する。
【０００２】
【従来の技術】
手書き用の筆記用具には、ボールペン、万年筆、フェルトマーカー、シャープペンなど様々なものがある。各筆記用具は、代表的にはユーザーが手で持ち、例えば用紙面のような筆記面上にものを書く（以下、マーキングとも称する）ようになっている。筆記用具の一部には筆記部材が配置される。筆記部材はバレルの一端に露出するマーキングのための筆記用先端部を含む。筆記用先端部の例には、バレル内に配置した円筒形状のインクカートリッジに結合したボールポイント、鉛筆の芯等がある。
【０００３】
使用中、ユーザーは筆記用具のバレルを把持し、筆記面に筆記用先端部を押し付ける。所望のマーキングを得るための、あるいは単にユーザー自身の筆記上のくせにより加わる筆圧は大き過ぎることがある。その結果、ユーザーの指や手首、腕に負担が掛かりユーザーは疲労や苦痛を感ずることとなる。そればかりか筆記用具を長時間使い続けるとユーザーの指に硬皮ができることもある。
【０００４】
従来の筆記用具では様々に異なるグリップを設けることで使い心地や使用中の制御性の改善が図られている。或る筆記用具では弾性材料で作製したエルゴノミック、即ち人間工学的なグリップを有している。グリップは“砂時計”形状のような輪郭のものとすることで使い心地を更に改善させることができる。別の筆記用具は同じく使い心地改善のために変形性のグリップを有している。そうしたグリップを、元の形に復帰するまでの間変形形状を保持する比較的粘性のパテ物質を含む変形性スリープを設けることで形成することが知られている。
【０００５】
更に、手持ち用具と共に使用するグリップ装置も知られている。このグリップ装置には、内径寸法を手持ち用具のグリップ部を覆って嵌合するようなものとした中空の管部材が含まれ得る。この中空の管部材の外側表面に沿って複数の環状リブが伸延され得る。各環状リブには、隣接する環状リブのゲル充填チャンバから隔絶した内側ジェル充填チャンバが形成される。
上述の設計形状は使用中の使い心地や安定感を向上させるためのものであるが、それでも尚、ユーザーにとって更に使い心地を良くし、使用中の筆記用具の安定性を向上させる筆記用具のグリップに対する消費者の要望がある。
【０００６】
【発明が解決しようとする課題】
ユーザーにとって更に使い心地が良く、使用中の筆記用具の安定性を向上する筆記用具のグリップを提供することである。
【０００７】
【課題を解決するための手段】
本発明によれば、前方端を有するバレルと、バレル内に部分的に配置され、バレルの前方端から外側に伸延する先端部を有する筆記部材とを含む筆記用具が提供される。バレルには弾性のグリップ部分が取り付けられて外側表面を画定している。このグリップ部分の外側表面には長手方向に整列する湾曲形状の溝のカラム（縦列）が形成され、この溝のカラムが、筆記部材の先端部から離れる方向への滑りに抵抗する形状のリブを構成する。
本発明の他の様相に従えば、前方端を有するバレルと、バレル内に部分的に配置され、バレルの前方端から外側に伸延する先端部を有する筆記用具が提供される。バレルには弾性のグリップ部分が取り付けられて外側表面を画定し、グリップ部分の外側表面には湾曲形状の溝のカラムが形成される。これらの溝はグリップ部分に沿って長手方向に整列し、各溝が、筆記用具の先端部付近に位置付けられた前方縁部と、先端部から離れて位置付けられた後方縁部とを画定する。各溝の後方縁部は関連する溝の前方縁部のそれよりもずっと深い。
【０００８】
本発明の更に他の様相に従えば、前方端を有するバレルと、バレル内に部分的に配置され、バレルの前方端の外側に伸延する先端部を有する筆記部材とを含む筆記用具が提供される。バレルには弾性のグリップ部分が取り付けられて外側表面を画定し、グリップ部分の外側表面には湾曲形状の溝のカラムが形成される。溝はグリップ部分の長手方向に沿って整列され、各溝は筆記用具の先端部付近に位置付けられる中央部分と、先端部から離して位置付けられた２つの端部とを有する。
【０００９】
【発明の実施の形態】
図面を参照するに、図１には本発明の１実施例に従う筆記用具１０が示される。図示されるように、筆記用具１０はグリップ１４を取り付けたバレル１２を含んでいる。好ましい実施例において、バレル１２はプラスチックから形成される。しかしながら、筆記用具のために一般に使用されるその他の好適な材料、例えば木や金属などを使用しても良い。グリップ１４はソフトラバーのような弾性材料から作製される。インクカートリッジ１６（図２）のような筆記部材がバレル１２の内側で部分的に支持され、グリップ１４の前方端から外側に伸延する先端部１８を有している。バレル１２の後端には端部プラグ２０が取り付けられてこの後端を閉じている。
【００１０】
図２に最も良く示されるように、バレル１２は直径の大きな後方セクション２２と、直径の小さい前方セクション２４とを含んでいる。前方セクション２４の内径はインクカートリッジ１６を受けるべき寸法とされ、また、インクカートリッジ１６の前縁部と係合する肩部２６が形成される。肩部２６は、インクカートリッジ１６の前縁部と係合しつつ先端部１８を通過させ得る寸法とされる。後方セクション２２の後方端は、図示しないが直径の大きな内側ネジ溝部分を有する。
【００１１】
端部プラグ２０はバレル１２の後方セクション２２に釈放自在に取り付けられる。図２に最も良く示されるように、端部プラグ２０はバレル１２の直径の大きな内側ネジ溝部分と釈放自在に係合するようになっている外側ネジ溝部分３２を有する。端部プラグ２０はインクカートリッジ１６の後方端と摩擦係合するための手段、例えば内側ボス（図示せず）を更に含むことができる。
グリップ１４（図３）がバレル１２の前方端に取り付けられ、ユーザーに安定性及び使い心地の良いグリップを提供する。図４に最も良く示されるように、グリップ１４はバレル１２の前方セクション２４を受ける寸法の内側シャフト３６を有する。例示した実施例では内側シャフト３６の前方端３０は先端部１８付近が露出されている。グリップの内側シャフト３６の後端にはバレルの前方セクション２４の直径の小さいネジ溝部分２８と釈放自在に係合する寸法の内側ネジ溝（図示せず）が形成される。グリップ層４０が内側シャフト３６を包囲して外側グリップ表面４２を提供する。好ましい実施例では内側シャフト３６はポリプロピレンその他の硬質プラスチックのような、比較的非可撓性の材料から形成され、一方、グリップ層４０は弾性材料から形成される。好適な弾性材料には熱可塑性エラストマー、ソフトラバー、ｐｖｃ、シリコーンが含まれる。
【００１２】
グリップ１４が外側にグリップ層４０を設けた内側シャフト３６を有するものとして例示されたが、本発明に従うその他のグリップ構成を用いることができる。例えば、グリップ１４全体を、バレルのネジ溝部分２８と係合するネジ溝セクションを有する内側穿孔を設けた弾性材料の単一部材として提供することができる。
筆記用具の組み立てに際し、インクカートリッジ１６の後方端が端部プラグ２０の摩擦係合手段内に挿通される。インクカートリッジ１６の先端部１８が、端部プラグ２０がバレル１２の後方端に隣り合う位置に来るまでバレル１２に挿通され、次いで端部プラグ２０がバレル１２に関して回転されてバレル１２に釈放自在に固定される。端部プラグ２０がバレル１２に取り付けられると先端部１８がバレル１２の前方端の外側に伸延する。先に言及したように、バレル１２の内側の肩部２６は先端部１８を通過させる一方、インクカートリッジ１６の胴部と係合する。次いでグリップ１４が、内側シャフト３６の後方端位置の内側ネジ溝がバレルの前方セクション２４の直径の小さいネジ溝部分２８に隣り合う位置に来るまでバレルの前方セクション２４を覆って挿通される。グリップがバレル１２に関して回転されてバレル１２にネジ溝固定される。グリップ１４が完全に締着されると先端部１８がグリップ１４の前方端を貫いて伸延される。
【００１３】
グリップ１４の外側グリップ表面４２は魅力的な外観を提供すると同時にユーザーに対する使い心地を向上させるような形状のものであるのが好ましい。図１に最も良く示されるように、外側グリップ表面４２の後方部分はバレルの外側表面４４の寸法形状と実質的に合致する。その結果、筆記用具１０は一貫した外観を呈する。更に、外側グリップ表面４２はユーザーの指と良好にフィットする人間工学的な輪郭を有している。例示した実施例ではグリップの先端部１８に近い前方端には丸み付け部分４６が形成され、グリップ１４の後方端には拡開部分４８が形成され、中間のネック部分５０がこの拡開部分４８を丸み付け部分４６に連結する。
【００１４】
例示した実施例では弾性の外側グリップ表面４２は先端部１８付近にまで伸延され、かくして筆記用具１０の使用中の安定性を改善する。図３に最も良く示されるように、内側シャフト３６の前方端３０はグリップの製造を容易化するべく露出される。この露出された部分は、外側グリップ表面４２が先端部１８にできるだけ接近して伸延するように最小化されるのが好ましい。ユーザーが筆記用具を先端近くで保持することができるようになるほど、ユーザーは筆記用具をより制御し易くなる。弾性の外側グリップ表面４２を先端部１８に近づけて伸延させることで、ユーザーは筆記用具を先端部１８に近い位置で保持することができるようになり、筆記用具の使用中の制御性及び安定性が高まる。
【００１５】
本発明のある様相に従えば、外側グリップ表面４２にはユーザーの指が先端部１８から滑って離れないようにする手段が設けられる。図３に最も良く例示されるように、外側グリップ表面４２には先端部１８からの滑りを防止するための多数の湾曲状の溝６０からなるカラムが設けられる。各カラム５８は筆記用具１０の軸線５６と平行の長手方向に整列される。図５に最も良く示されるように、各溝６０は先端部１８付近に位置付けられた前縁部６２と、先端部１８から離して位置付けられた後縁部６４とを有する。各溝６０の、外側グリップ表面４２からの深さは前縁部６２から後縁部６４に向かう方向で大きくなる。
【００１６】
溝６０のカラム５８は、隣り合う一対の溝６０の間にリブ６６（図５）が形成されるように長手方向に離間される。各リブ６６は、軸線５６に関して比較的急勾配の前縁部６８と、テーパ付けされるがしかし全体に平坦な後縁部７０とを有する形状を有する。その結果、リブ６６は“釣り針”効果を提供し、ユーザーの指が先端部１８に向かって移動する場合には抵抗を殆ど生じないが、先端部１８から離れる方向に対しては強い抵抗を生じる。
例示した実施例では溝６０は湾曲形状において好ましく形成される。図３に最も良く示されるように、各溝６０は先端部１８付近に位置付けられた中央部分７２と、先端部１８から離れて位置付けられた端部７４とを有する。湾曲形状の滑り抵抗は溝６０の深さを変えることで変化する。
以上、本発明を実施例を参照して説明したが、本発明の内で種々の変更をなし得ることを理解されたい。
【００１７】
【発明の効果】
ユーザーにとって更に使い心地が良く、使用中の筆記用具の安定性を向上する筆記用具のグリップが提供される。
【図面の簡単な説明】
【図１】本発明に従う構成のグリップを含む筆記用具の斜視図である。
【図２】筆記用具の分解斜視図である。
【図３】グリップの部分拡大斜視図である。
【図４】図３を線４−４で切断した断面図である。
【図５】図３を線５−５で切断した断面図である。
【符号の説明】
１０  筆記用具
１２  バレル
１４  グリップ
１６  インクカートリッジ
１８  先端部
２０  端部プラグ
２２  後方セクション
２４  前方セクション
２６  肩部
２８  ネジ溝部分
３０  前端
３２  外側ネジ溝部分
３６  内側シャフト
４０  グリップ層
４２  外側グリップ表面
４６  丸み付け部分
４８  拡開部分
５０  ネック部分
５６  軸線
５８  カラム
６０  溝
６２  前縁部
６４  後縁部
６６  リブ
７２  中央部分
７４  端部
【図１】
0003987711.tif 000002
【図２】
0003987711.tif 000003
【図３】
0003987711.tif 000004
【図４】
0003987711.tif 000005
【図５】
0003987711.tif 000006